(57)【要約】【課題】段ボールシートからなる１枚のスペーサーを用いることにより包装箱内に収納される薄型商品の枚数が違っても包装に対応できるようにする。【解決手段】薄型商品５の包装に用いられる段ボールシートからなる平面形状が長方形のスペーサー１であって、このスペーサー１の短辺方向に向く段目方向に対して直交する方向に向く切り目２が等間隔おきに多数本形成され、この切り目２はスペーサー１の長辺方向の両端部およびスペーサー１の長辺方向の中央部を除いて形成されており、前記切り目２によりスペーサー１にはスペーサー１の長辺方向の両端部およびスペーサー１の長辺方向の中央部が繋がった同幅の多数枚の帯状片３を備えており、スペーサー１の長辺方向の中央部において短辺方向全長に亘って折り目４が形成されている。【選択図】図２
0003129688.tif 000002
【実用新案登録請求の範囲】
【請求項１】
薄型商品の包装に用いられる段ボールシートからなる平面形状が長方形のスペーサーであって、このスペーサーの短辺方向に向く段目方向に対して直交する方向に向く切り目が等間隔おきに多数本形成され、この切り目はスペーサーの長辺方向の両端部およびスペーサーの長辺方向の中央部を除いて形成されており、前記切り目によりスペーサーにはスペーサーの長辺方向の両端部およびスペーサーの長辺方向の中央部が繋がった同幅の多数枚の帯状片を備えており、スペーサーの長辺方向の中央部において短辺方向全長に亘って折り目が形成されていることを特徴とする薄型商品の包装用スペーサー。
【請求項２】
各帯状片の幅は包装箱に収納される薄型商品の厚さに合わせてあることを特徴とする請求項１記載の薄型商品の包装用スペーサー。
【考案の詳細な説明】
【技術分野】
【０００１】
本考案は、書籍やＤＶＤやＣＤなどの薄型商品を包装箱内に収納して包装する際に用いられる薄型商品の包装用スペーサーに関するものである。
【背景技術】
【０００２】
従来、薄型商品を包装箱内に収納して搬送する際、包装箱内での薄型商品のがたつきを防止するために包装箱内の余った空間内に新聞紙あるいは合成樹脂製シートを材料としてエアをセル状に密閉して形成されたバブルシートなどを詰め込んでいるのが現状である。
【考案の開示】
【考案が解決しようとする課題】
【０００３】
上記のように包装箱内での薄型商品のがたつきを防止するために用いられる新聞紙やバブルシートなどは包装箱内の空間の大きさに応じて用意しなければならない量が異なり、包装箱内の空間が大きい場合は新聞などを広げて手でクシャクシャにまるめる作業に手間がかかるという問題があった。
【０００４】
本考案の目的は、このような課題を解決するものであり、段ボールシートからなるスペーサーを１枚用いることにより包装箱内に収納される薄型商品の枚数が違っても対応できるようにすることにある。
【課題を解決するための手段】
【０００５】
本考案の請求項１に記載の薄型商品の包装用スペーサーは、薄型商品の包装に用いられる段ボールシートからなる平面形状が長方形のスペーサーであって、このスペーサーの短辺方向に向く段目方向に対して直交する方向に向く切り目が等間隔おきに多数本形成され、この切り目はスペーサーの長辺方向の両端部およびスペーサーの長辺方向の中央部を除いて形成されており、前記切り目によりスペーサーにはスペーサーの長辺方向の両端部およびスペーサーの長辺方向の中央部が繋がった同幅の多数枚の帯状片を備えており、スペーサーの長辺方向の中央部において短辺方向全長に亘って折り目が形成されていることを特徴とする。
【０００６】
請求項２に記載の薄型商品の包装用スペーサーは、各帯状片の幅は包装箱に収納される薄型商品の厚さに合わせてあることを特徴とする。
【考案の効果】
【０００７】
以上のように、本考案の薄型商品の包装用スペーサーは、包装箱内に収納される薄型商品の枚数によってスペーサーの幅を狭くするために余分の帯状片を切り目の部分で切り外したり、また余分の帯状片を切り目の部分で折って重ねたりすることにより、包装箱内に収納される薄型商品の枚数が違っても対応することができ、しかもスペーサーは段ボールシートからなるので安価に提供することができる。
【考案を実施するための最良の形態】
【０００８】
以下、本考案の一実施の形態を、図１〜図６を用いて具体的に説明する。
図において、１は薄型商品の包装に用いられる段ボールシートからなる平面形状が長方形のスペーサーであって、このスペーサー１の短辺方向に向く段目方向（図１における矢印ａ方向）に対して直交する方向に向く切り目２が等間隔おきに多数本（図面に示す実施の形態では８本）形成されている。この切り目２はスペーサー１の長辺方向の両端部およびスペーサー１の長辺方向の中央部を除いて形成されている。つまり、スペーサー１の長辺方向の両端部およびスペーサー１の長辺方向の中央部はスペーサー１は繋がった状態にあり、前述のように切り目２が等間隔おきに８本形成されていることからスペーサー１にはスペーサー１の長辺方向の両端部およびスペーサー１の長辺方向の中央部が繋がった同幅の９枚の帯状片３が形成されている。なお、スペーサー１の長辺方向の中央部において短辺方向全長に亘って折り目４が形成されている。さらに、各帯状片３の幅は包装箱５に収納される薄型商品６の厚さに合わせてある。
【０００９】
上記構成において、１枚の薄型商品６を包装箱５に収納して包装する場合は、図２に示すように全ての帯状片３が繋がった状態で前記折り目４の部分でスペーサー１を逆Ｖ字状に折り曲げ、この逆Ｖ字状に折り曲げられたスペーサー１の長辺側の端辺に薄型商品６の一方の面を当てがい、かかる状態で薄型商品６とスペーサー１を包装箱５に収納して包装する。なお、前記スペーサー１は９枚の帯状片３が繋がった状態で１枚の薄型商品６の厚さと包装箱５の内部空間の大きさに合うように作られている。つまり、スペーサー１は９枚の帯状片３が繋がった状態で包装箱５の中に１枚の薄型商品６を入れる場合に包装箱５内の余った空間の大きさに合うように作られている。
【００１０】
次に、２枚の薄型商品６を包装箱５に収納して包装する場合は、図３に示すように９枚の帯状片３が繋がったスペーサー１の一端部に位置する１枚の帯状片３を切り目２の部分で隣接する帯状片３に重なるように折り重ねてこのスペーサー１を折り目４の部分で逆Ｖ字状に折り曲げ、かかる状態でスペーサー１の長辺側の折り重ね端辺に、重ねられた２枚の薄型商品６の一方の薄型商品６の一方の面を当てがい、これら薄型商品６とスペーサー１を包装箱５に収納して包装すれば良く、同様にして５枚の薄型商品６を包装箱５に収納して包装する場合は、図４に示すように９枚の帯状片３が繋がったスペーサー１の端から４枚の帯状片３を切り目２の部分で折って残りの帯状片３に重ねてこのスペーサー１を折り目４の部分で逆Ｖ字状に折り曲げ、かかる状態でスペーサー１の長辺側の折り重ね端辺に、重ねられた５枚の薄型商品６の端に位置する薄型商品６の一方の面を当てがい、これら薄型商品６とスペーサー１を包装箱５に収納して包装すれば良い。また、６枚の薄型商品６を包装箱５に収納して包装する場合は、図５に示すように９枚の帯状片３が繋がったスペーサー１から５枚分の帯状片３を切り目２の部分で切り外し、残り４枚のスペーサー１を折り目４の部分で逆Ｖ字状に折り曲げ、かかる状態でスペーサー１の長辺側の端辺に、重ねられた６枚の薄型商品６の端に位置する薄型商品６の一方の面を当てがい、これら薄型商品６とスペーサー１を包装箱５に収納して包装すれば良い。さらに、８枚の薄型商品６を包装箱５に収納して包装する場合は、図６に示すように前述のように切り離された４枚のスペーサー１を用い、このスペーサー１の半分の２枚の帯状片３を切り目２の部分で折って残りの帯状片３に重ねてこのスペーサー１を折り目４の部分で逆Ｖ字状に折り曲げ、かかる状態でスペーサー１の長辺側の折り重ね端辺に、重ねられた８枚の薄型商品６の端に位置する薄型商品６の一方の面を当てがい、これら薄型商品６とスペーサー１を包装箱５に収納して包装すれば良い。
【００１１】
以上のように包装箱５に収納される薄型商品６が１枚のときは９枚分の帯状片３の幅を持つスペーサー１を用い、包装箱５に収納される薄型商品６が８枚のときは２枚分の帯状片３の幅を持つスペーサー１を用いるものであり、上記の説明では２枚の薄型商品６を包装箱５に収納する場合や５枚の薄型商品６を包装箱５に収納する場合、さらには８枚の薄型商品６を包装箱５に収納する場合において余分の帯状片３を切り目２の部分で折って重ねているが、余分の帯状片３を切り目２の部分で切り外しても良い。また、６枚の薄型商品６を包装箱５に収納する場合において余分の帯状片３を切り目２の部分で切り外しているが、余分の帯状片３を切り目２の部分で折って重ねるようにしても良い。
【００１２】
ところで、薄型商品６がＤＶＤやＣＤなどの傷の付きやすい商品である場合は、商品を１枚づつ専用のケースに入れて包装箱５に収納されるものである。
【図面の簡単な説明】
【００１３】
【図１】本考案の一実施の形態におけるスペーサーの展開図である。
【図２】同（Ａ）はスペーサーの第１の使用例時の展開図、（Ｂ）はスペーサーの第１の使用例を示す斜視図、（Ｃ）は薄型商品とスペーサーを包装箱に収納した状態を示す平面図である。
【図３】同（Ａ）はスペーサーの第２の使用例時の展開図、（Ｂ）はスペーサーの第２の使用例を示す斜視図、（Ｃ）は薄型商品とスペーサーを包装箱に収納した状態を示す平面図である。
【図４】同（Ａ）はスペーサーの第３の使用例時の展開図、（Ｂ）はスペーサーの第３の使用例を示す斜視図、（Ｃ）は薄型商品とスペーサーを包装箱に収納した状態を示す平面図である。
【図５】同（Ａ）はスペーサーの第４の使用例時の展開図、（Ｂ）はスペーサーの第４の使用例を示す斜視図、（Ｃ）は薄型商品とスペーサーを包装箱に収納した状態を示す平面図である。
【図６】同（Ａ）はスペーサーの第５の使用例時の展開図、（Ｂ）はスペーサーの第５の使用例を示す斜視図、（Ｃ）は薄型商品とスペーサーを包装箱に収納した状態を示す平面図である。
【符号の説明】
【００１４】
１    スペーサー
２    切り目
３    帯状片
４    折り目
５    包装箱
６    薄型商品
【図１】
0003129688.tif 000003
【図２】
0003129688.tif 000004
【図３】
0003129688.tif 000005
【図４】
0003129688.tif 000006
【図５】
0003129688.tif 000007
【図６】
0003129688.tif 000008